(57)【要約】【課題】表示画面の前面を単なる遊技領域の一部として利用するに止まらず、遊技者に対して興趣を与える機能を発揮させること。【解決手段】パチンコ遊技機は、表示装置４００の表示画面４０１の上側に複数設けられた球導入路部１１，１２，１３，１４，１５と、表示画面４０１の前面に設けられ、球導入路部１１，１２，１３，１４，１５に入球した遊技球３００を下方へ誘導する透明部材からなる球誘導路部２０と、表示画面４０１の下側かつ球誘導路部２０の下側に設けられた始動入賞口２０４とを備え、複数の球導入路部１１，１２，１３，１４，１５の各球導入路部に対応させて、遊技球３００が始動入賞口２０４へ入賞する割合を異ならせるよう球誘導路部２０を構成する。【選択図】図４
2005131154.tif 000002
【特許請求の範囲】
【請求項１】
表示装置の表示画面の上側に複数設けられた球導入路部と、
前記表示画面の前面に設けられ、前記球導入路部に入球した遊技球を下方へ誘導する透明部材からなる球誘導路部と、
前記表示画面の下側かつ前記球誘導路部の下側に設けられた入賞口と
を備え、前記複数の球導入路部の各球導入路部に対応させて、遊技球が前記入賞口へ入賞する割合を異ならせるよう前記球誘導路部を構成したことを特徴とするパチンコ遊技機。
【請求項２】
前記球誘導路部と前記入賞口との間に、前記球誘導路部の出口部から出球した遊技球を受け止めるステージ部を設け、該ステージ部は、前記球誘導路部の所定の出口部から出球した遊技球を前記入賞口の真上まで案内する入賞案内通路を有することを特徴とする請求項１記載のパチンコ遊技機。
【請求項３】
前記球誘導路部は、
前記表示画面の前面を覆う透明板部と、
該透明板部の前面に設けられ、遊技球の落下進路を変更させるための透明障害部と、
該透明障害部をその前方から覆う透明カバー部と
を備え、
前記透明障害部は、前記複数の球導入路部の各球導入路部に対応させて、遊技球が前記ステージ部の前記入賞案内通路まで誘導される割合を異ならせるよう構成されることを特徴とする請求項２記載のパチンコ遊技機。
【請求項４】
前記透明障害部は複数のブロック片からなり、各ブロック片は、遊技球の左右進行方向を決定するとともに隣のブロック片との間に球通路を形成することを特徴とする請求項３記載のパチンコ遊技機。
【発明の詳細な説明】
【技術分野】
【０００１】
本発明は、パチンコ遊技機、特に、遊技領域の中央部付近に表示装置の表示画面が配置されたパチンコ遊技機に関する。
【背景技術】
【０００２】
パチンコ遊技機として、遊技盤面の遊技領域の中央部付近に表示装置の表示画面を配置し、この表示画面に図柄を変動表示させて各種演出例えばリーチ演出、大当たり演出などを行なうパチンコ遊技機が公知である。
【０００３】
そして、この種のパチンコ遊技機において、表示画面を大型化しようとする傾向がある。しかし、表示画面を大型化すると遊技領域が占める面積が必然的に減少してしまうという不具合が生じる。そこで、遊技領域の占有面積を確保する目的の下、透明板を用いて表示画面の前面を遊技領域の一部として利用しようとする提案がなされている（例えば、特許文献１参照）。
【特許文献１】特開平１０−９９５００号公報
【発明の開示】
【発明が解決しようとする課題】
【０００４】
しかし、上記従来技術によると、表示画面の前面側を遊技球が通過するという単なる球通過領域としての機能しかないため、遊技者に対して与える興趣に欠けるという問題がある。
【０００５】
本発明は、上記の点にかんがみなされたものであり、表示画面の前面側を単なる球通過領域として利用するに止まらず、遊技者に対して十分な興趣を与えることができる領域として機能させることができるパチンコ遊技機を提供することを目的とする。
【課題を解決するための手段】
【０００６】
本発明のパチンコ遊技機は、表示装置の表示画面の上側に複数設けられた球導入路部と、前記表示画面の前面に設けられ、前記球導入路部に入球した遊技球を下方へ誘導する透明部材からなる球誘導路部と、前記表示画面の下側かつ前記球誘導路部の下側に設けられた入賞口とを備え、前記複数の球導入路部の各球導入路部に対応させて、遊技球が前記入賞口へ入賞する割合を異ならせるよう前記球誘導路部を構成したことを特徴とする。
【０００７】
本発明のパチンコ遊技機によると、表示画面の前面を単なる遊技領域の一部として利用するに止まらず、遊技球がいずれの球導入路部に入球するかによってその後の入賞口への入賞率が決まるようになるため、遊技者に対して興趣を与える機能を発揮できるようになる。
【０００８】
前記球誘導路部と前記入賞口との間に、前記球誘導路部の出口部から出球した遊技球を受け止めるステージ部を設け、該ステージ部に、前記球誘導路部の所定の出口部から出球した遊技球を前記入賞口の真上まで案内する入賞案内通路を設けることにより、球誘導路部の所定の出口部から出球した遊技球は入賞口へ入賞し易くなる。
【０００９】
前記球誘導路部は、具体的には、前記表示画面の前面を覆う透明板部と、該透明板部の前面に設けられ、遊技球の落下進路を変更させるための透明障害部と、該透明障害部をその前方から覆う透明カバー部とを備え、前記透明障害部は、前記複数の球導入路部の各球導入路部に対応させて、遊技球が前記ステージ部の前記入賞案内通路まで誘導される割合を異ならせるよう構成される。
【００１０】
前記透明障害部は複数のブロック片からなり、各ブロック片は、遊技球の左右進行方向を決定するとともに隣のブロック片との間に球通路を形成する。各ブロック片の形状及び位置を決めることにより、各球導入路部に対応させて、球誘導路部の所定の出口部まで遊技球を誘導する割合を適宜設定することが可能である。
【発明を実施するための最良の形態】
【００１１】
以下、本発明の実施形態を図面に基づいて説明する。
【００１２】
図１は、本発明の一実施形態に係るパチンコ遊技機の概略正面図、図２は、図１の要部拡大図、図３は、図２図示III-III線による断面図、図４は、図２図示の要部の分解斜視図をそれぞれ示す。
【００１３】
図１及び図２において、１００は、球発射装置（図示せず）を作動させるために遊技者によって操作されるハンドル、２００は、球発射装置によって発射された遊技球３００に対して釘２０１、風車２０２などにより変化に富んだ落下運動をさせ、遊技球３００が入賞口へ入賞した場合には、上皿５００に所定個数の賞球が払出され、また、入賞口へ入賞しなかった遊技球３００をアウト口２０３から外部へ排出する遊技領域を表している。
【００１４】
遊技領域２００は、遊技盤の前面に形成されており、上記釘２０１、風車２０２などの他、遊技球３００の入賞を条件として大当たり抽選を行わせるための始動入賞口２０４、大当たり発生時に所定ラウンド数だけ開口して多数の遊技球３００の入賞を可能にする大入賞口２０５などを備えている。
【００１５】
遊技領域２００の中央部には、各種演出例えばリーチ演出、大当たり演出などを行なう表示装置４００の表示画面４０１が配置されている。表示画面４０１は、遊技盤面よりも奥（後方）に位置している。上記始動入賞口２０４は、表示画面４０１の下側に配置されている。
【００１６】
表示画面４０１の上側には、複数（本実施形態では５つ）の球導入路部１１，１２，１３，１４，１５が配置されている。各球導入路部１１，１２，１３，１４，１５は、上方へ開口した入口部１１ａ，１２ａ，１３ａ，１４ａ，１５ａを有し、各入口部１１ａ，１２ａ，１３ａ，１４ａ，１５ａは遊技盤面の前方に位置しており、上方から落下してきた遊技球３００を入球可能に形成されている。５つの入口部１１ａ，１２ａ，１３ａ，１４ａ，１５ａは左右方向へ一列に繋がって形成されている。左右方向中央に位置する球導入路部１３（仮に第３球導入路部と称す。）は、入口部１３ａから下方へ垂直に伸びた垂直通路部と、垂直通路部の下端から後方へ水平に延びた水平通路部とを有し、この水平通路部の後端部は、下方へ開口した出口部１３ｂを有している（図２及び図３参照）。この第３球導入路部１３の入口部１３ａに入球した遊技球３００は、垂直通路部及び水平通路部を順に経て出口部１３ｂから下方へ落下する。第３球導入路部１３の左隣に位置する球導入路部１２（仮に第２球導入路部と称す。）の入口部１２ａの下側には、第３球導入路部１３の垂直通路部よりも短い垂直通路部が延設されており、この垂直通路部の下端には、左方向へ延びる傾斜通路部が延設され、この傾斜通路部の左端部の下側に、後方へ延びる水平通路部が延設され、この水平通路部の後端部は、下方へ出口部１２ｂを有している（図２及び図３参照）。この第２球導入路部１２の入口部１２ａに入球した遊技球３００は、垂直通路部、傾斜通路部及び水平通路部を順に経て出口部１２ｂから下方へ落下する。第２球導入路部１２の左隣に位置する球導入路部１１（仮に第１球導入路部と称す。）の入口部１１ａの下側には、第２球導入路部１２の垂直通路部よりも短い垂直通路部が延設されており、この垂直通路部の下端には、左方向へ延びる傾斜通路部が延設され、この傾斜通路部の左端部の下側に、後方へ延びる水平通路部が延設され、この水平通路部の後端部は、下方への出口部１１ｂを有している（図２及び図３参照）。この第１球導入路部１１の入口部１１ａに入球した遊技球３００は、垂直通路部、傾斜通路部及び水平通路部を順に経て出口部１１ｂから下方へ落下する。第３球導入路部１３の右隣の位置する球導入路部１４（仮に第４球導入路部と称す。）は、第２球導入路部１２と左右対称に垂直通路部、傾斜通路部、水平通路部及び出口部１４ｂを有しており、また、第４球導入路部１４の右隣に位置する球導入路部１５（仮に第５球導入路部と称す。）は、第１球導入路部１１と左右対称に垂直通路部、傾斜通路部、水平通路部及び出口部１５ｂを有している（図２及び図３参照）。
【００１７】
表示画面４０１の前面には、球導入路部１１，１２，１３，１４，１５に入球した遊技球３００を下方へ誘導する透明部材からなる球誘導路部２０が配置されている。
【００１８】
球誘導路部２０は、図３及び図４に示すように、表示画面４０１の前面を覆う透明板部２１と、透明板部２１の前面に設けられ、遊技球３００の落下進路を変更させるための透明障害部２２と、透明障害部２２をその前方から覆う透明カバー部２３とを備えている。
【００１９】
透明障害部２２は複数の透明なブロック片からなり、各ブロック片２２は、透明板部２１と共に一体成形され、あるいは、接着剤を用いて透明板部２１に固着されている。各ブロック片２２は、遊技球３００の左右進行方向を決定するとともに隣のブロック片との間に球通路を形成する。複数のブロック片２２は、例えば、上下方向に複数組に組分けされ、図２に示すように、最も上に位置する組（仮に第１組と称す。）の各ブロック片２２Ａは、第１、第２、第３、第４、第５球導入路部１１，１２，１３，１４，１５の各出口部１１ｂ，１２ｂ，１３ｂ，１４ｂ，１５ｂの下方に配置し、また、第１組のすぐ下に位置する組（仮に第２組と称す。）の各ブロック片２２Ｂは、第１組の隣り合うブロック片２２Ａによって形成される垂直方向の球通路の下方に配置し、また、第２組のすぐ下に位置する組（仮に第３組と称す。）の各ブロック片２２Ｃは、第２組の隣り合うブロック片２２Ｂによって形成される垂直方向の球通路の下方に配置し、また、第３組のすぐ下に位置する組つまり最も下に位置する組（仮に第４組と称す。）の各ブロック片２２Ｄは、第３組の隣り合うブロック片２２Ｃによって形成される垂直方向の球通路の下方に配置する。各ブロック片の上面２２ａは、左右中間点２２ｂを分岐点として、左下方向へ傾斜した左傾斜面２２ｃと右下方向へ傾斜した右傾斜面２２ｄとによって構成されている。
【００２０】
上記透明障害部２２は、第３球導入路部１３の出口部１３ｂを経て入球した遊技球３００に対しては、この遊技球３００を、第４組の隣り合うブロック片２２Ｄによって形成される垂直方向の球通路のうち左右方向中央に位置する球通路２２ｅ（仮に第３垂直球通路と称す。）まで高い確率で誘導し、かつ、第３球導入路部１３を除いた第１、第２、第４、第５球導入路部１１，１２，１４，１５の各出口部１１ｂ，１２ｂ，１４ｂ，１５ｂを経て入球した遊技球３００に対しては、この遊技球３００を第３垂直球通路２２ｅ以外の垂直方向の球通路（仮に第１、第２、第４、第５垂直球通路と称す。）まで高い確率で誘導するよう構成されている。このような球誘導パターンは、主に、各ブロック片２２の上面２２ａの左傾斜面２２ｃ及び右傾斜面２２ｄの傾斜角度及び両者の比率を適宜設定することによって容易に実現することができる。
【００２１】
球誘導路部２０の下側には、ステージ部３０が配置されている。ステージ部３０は、上下３段からなる。
【００２２】
上段ステージ部３１の上面は、球誘導路部２０の真下に位置しており、球誘導路部２０の各出口部１１ｂ，１２ｂ，１３ｂ，１４ｂ，１５ｂから落下してきた遊技球３００を受け止める。上段ステージ部３１の上面の左右方向中央部には、透明障害部２２の第３垂直球通路２２ｅから落下してきた遊技球３００を入球可能な上面開口部３１ａが形成されている。この上面開口部３１ａは、ステージ部３０の内部通路つまり入賞案内通路３４の上面入口部３１ａを構成している。なお、上段ステージ部３１の上面に対し、透明障害部２２の第３垂直球通路２２ｅ以外の第１、第２、第４、第５垂直球通路から落下してきた遊技球３００の上面入口部３１ａへの入球を完全に不可能にする形状を与え、第１、第２、第４、第５垂直球通路から落下してきた遊技球３００を全て中段ステージ部３２へ落下させるようにしてもよいし、あるいは、上段ステージ部３１の上面に対し、第１、第２、第４、第５垂直球通路から落下してきた遊技球３００の上面入口部３１ａへの入球を低い確率で可能にするような形状を与え、第１、第２、第４、第５垂直球通路から落下してきた遊技球３００の一部を上面入口部３１ａへ入球させ、残りの遊技球３００を上面入口部３１ａへ入球させることなく中段ステージ部３２へ落下させるようにしてもよい。
【００２３】
中段ステージ部３２の上面は、上段ステージ部３１の前側に位置しており、上段ステージ部３１の上面から落下してきた遊技球３００を受け止める。また、中段ステージ部３２の上面は、受け止めた遊技球３００に振り子運動をさせ、一部の遊技球３００に対し、上段ステージ部３１の前面に形成された開口部３１ｂつまり入賞案内通路３４に連通する前面入口部３１ｂへの入球を可能にする形状を有している。したがって、上段ステージ部３１の上面から中段ステージ部３２の上面へと落下してきた遊技球３００の一部は前面入口部３１ｂに入球し、残りの遊技球３００は下段ステージ部３３へと落下する。
【００２４】
下段ステージ部３３の上面は、中段ステージ部３２の前側に位置しており、中段ステージ部３２の上面から落下してきた遊技球３００を受け止めた後、始動入賞口２０４の真上から外れた位置からステージ部３０の下方へ落下させる。下段ステージ部３３の前面には、入賞案内通路３４の前面出口部３３ａが形成されている。この前面出口部３３ａの前方下側には、始動入賞口２０４が配置されており、前面出口部３３ａを経て落下する遊技球３００は高い確率で始動入賞口２０４へ入球可能となっている。
【００２５】
次に、上記のように構成されたパチンコ遊技機の動作を説明する。
【００２６】
ハンドル１００を操作することによって遊技領域２００に発射された遊技球３００の一部は、球導入路部１１，１２，１３，１４，１５に入球する。球導入路部１３に入球した遊技球３００は、出口部１３ｂを経て球誘導路部２０に入球し、球誘導路部２０の透明障害部２２が発揮する上述したような球誘導パターンにより、ステージ部３０の上面入口部３１ａに入球し、入賞案内通路３４を通って前面出口部３３ａから出球し、始動入賞口２０４へ高い確率で入賞するようになる。一方、他の球導入路部１１，１２，１４，１５に入球した遊技球は、同様に球誘導路部２０に入球するが、透明障害部２２が発揮する球誘導パターンによりステージ部３０の上面入口部３１ａに入球せず、大部分は、上段ステージ部３１、中段ステージ部３２及び下段ステージ部３３を順に経て始動入賞口２０４に入賞しないでアウト口２０３から排出される。
【００２７】
以上説明したように、本実施形態のパチンコ遊技機は、表示装置４００の表示画面４０１の上側に複数設けられた球導入路部１１，１２，１３，１４，１５と、表示画面４０１の前面に設けられ、球導入路部１１，１２，１３，１４，１５に入球した遊技球３００を下方へ誘導する透明部材からなる球誘導路部２０と、表示画面４０１の下側かつ球誘導路部１１，１２，１３，１４，１５の下側に設けられた入賞口（始動入賞口２０４）とを備え、複数の球導入路部１１，１２，１３，１４，１５の各球導入路部に対応させて、遊技球３００が入賞口２０４へ入賞する割合を異ならせるよう球誘導路部２０を構成した。
【００２８】
本実施形態のパチンコ遊技機によると、表示画面４０１の前面を単なる遊技領域２００の一部として利用するに止まらず、遊技球３００がいずれの球導入路部１１，１２，１３，１４，１５に入球するかによってその後の入賞口２０４への入賞率が決まるようになるため、遊技者に対して興趣を与える機能を発揮できるようになる。
【００２９】
また、球誘導路部２０と入賞口２０４との間に、球誘導路部２０の出口部から出球した遊技球３００を受け止めるステージ部３０を設け、ステージ部３０に、球誘導路部２０の所定の出口部（第３垂直通路部２２ｅ）から出球した遊技球３００を入賞口２０４の真上まで案内する入賞案内通路３４を設けることにより、球誘導路部２０の所定の出口部２２ｅから出球した遊技球３００は入賞口２０４へ入賞し易くしている。
【００３０】
また、球誘導路部２０は、具体的には、表示画面４０１の前面を覆う透明板部２１と、透明板部２１の前面に設けられ、遊技球３００の落下進路を変更させるための透明障害部２２と、透明障害部２２をその前方から覆う透明カバー部２３とを備え、透明障害部２２は、複数の球導入路部１１，１２，１３，１４，１５の各球導入路部に対応させて、遊技球３００がステージ部３０の入賞案内通路３４まで誘導される割合を異ならせるよう構成される。
【００３１】
透明障害部２２は複数のブロック片からなり、各ブロック片は、遊技球の左右進行方向を決定するとともに隣のブロック片との間に球通路を形成する。各ブロック片の形状及び位置を決めることにより、各球導入路部１１，１２，１３，１４，１５に対応させて、球誘導路部２０の所定の出口部２２ｅまで遊技球を誘導する割合を適宜設定することが可能となる。
【図面の簡単な説明】
【００３２】
【図１】本発明の一実施形態に係るパチンコ遊技機の概略正面図である。
【図２】図１の要部拡大図である。
【図３】図２図示III-III線による断面図である。
【図４】図２図示の要部の分解斜視図である。
【符号の説明】
【００３３】
１１，１２，１３，１４，１５    球導入路部
２０    球誘導路部
２１    透明板部
２２    透明障害部
２２ｅ    第３垂直通路部（所定の出口部）
２３    透明カバー部
３０    ステージ部
３４    入賞案内通路
２００    遊技領域
２０４    始動入賞口（入賞口）
３００    遊技球
４００    表示装置
４０１    表示画面
【図１】
2005131154.tif 000003
【図２】
2005131154.tif 000004
【図３】
2005131154.tif 000005
【図４】
2005131154.tif 000006